(57)【要約】【課題】本発明は、環境負荷の少ない電気式液体加熱装置であり、従来の化石燃料を燃焼させる燃焼式の小型ボイラーや電気式シーズヒーター等の効率を改善するとともに、作業効率やエネルギーコストを大幅に削減する事が可能な電気式液体加熱装置を提供する。【解決手段】本発明の電気式液体加熱装置を、貯水・貯湯タンク内に固定設置若しくは吊下げる方法をとり、各種一次側電源を同一発熱体で併用する事が可能であり、また、蓄電池等のバッテリーを使用し電力を供給する事により、場所を選定せず簡便に水（液体）を加熱供給する事が可能な事を特徴とする電気式液体加熱装置である。【選択図】図１
2019074299.tif 000002
【特許請求の範囲】
【請求項１】
貯水・貯湯槽内に電気式液体加熱装置を設置又は吊下げし、その装置を直接液体と接触させる事により、熱エネルギーを直接的に液体へ伝える事で、貯水・貯湯槽内部の液体を効率良く加熱・加温し、必要とする温水を得る事が可能となる事を特徴とする。
【請求項２】
電気式液体加熱装置の内部に設けられた発熱体回路において、使用する発熱体の巾・長さ・数量を変更でき、また、形状等も自由に選択可能となる為、容易に取付け・吊下げが可能となり、少量の湯から大量の湯まで、必要とされる湯量や状況に応じた形状設定のできる事を特徴とする。
【請求項３】
一時側の電源は、直流・交流、三相交流等の電源を併用する事が可能であり、変換器等を一切使用する事なく、お湯の供給が可能である。介護車輌等で使用されている小型ボイラー等のように化石燃料を使用する事なく、小型・軽量で携行可能な電気式液体加熱装置。
【発明の詳細な説明】
【技術分野】
【技術分野】
【０００１】本発明は、少量の液体から大量の液体まで、量にかかわらず化石燃料を使用する事なく、液温を所定の温度へ上げる事が可能な環境負荷の少ない携帯可能な電気式液体加熱装置に関する。
【背景技術】
【０００２】従来の温水供給は、主として化石燃料を燃焼させ発生するエネルギーを熱交換し、間接的エネルギーとして水（液体）を加温して温水を供給している方式が用いられている。
【発明の開示】
【発明が解決しようとする課題】
【０００３】上記、上述した従来の方式は、化石燃料を燃焼し、温水を供給するため、環境負荷が大きくなってしまうのが実状である。【０００４】前記した従来の間接加熱方式では、発生する熱エネルギーが、温水を供給する形態の一次素材である金属筒体の質量・比熱・比重・体積により、エネルギーロスが発生してしまう問題がある。【０００５】また、ヒーターを使用し加熱する方式も用いられているが、ヒーター絶縁に供する絶縁材と金属箇体等の組合せ使用方法により、昇温する際に、経過時間や電気容量の問題も発生してしまう。【０００６】本発明は、上記した課題を解決すべく成されたものであり、環境負荷を削減し、かつ、効率良く少量の温水から大量の温水を供給すること、また、脱脂槽や化成処理槽に浸して使用する事も可能な電気式液体加熱装置を提供するものである。
【課題を解決するための手段】
【０００７】本発明は、上記課題を解決する為に成されたものであり、図１に示す発熱体基台に密着加工された発熱体２に、貯水・貯湯槽内の水（液体）が直接接触する事により、効率良く昇温されるように形成されたものである。【０００８】初期の温度と到達温度差・時間を考慮し、対象物である水（液体）の容量から算出し、発熱体容量を決める事により各種の商用電力及びバッテリーから供されるエネルギーを併用する事により、容量の変化にも対応が可能となる。【０００９】
2019074299.tif 000003
ではない。また、昇温時間に対しても使用に際しての実施例に準ずる事が望ましい。【００１０】本発明の発熱装置に使用する発熱体は、［特許文献１］２００８−１５６７１１のニッケル基合金を使用する事により、従来のニクロム線を使用したシーズヒーターの効率を上まわる事となる。【００１１】線状面状発熱体図１−２は、水（液体）容量に対して、１回路以上で構成する事が好ましく、水（液体）容量・昇温時間により複数の回路編成が可能である。【００１２】また、電気式液体加熱装置に接続されている安全装置には、温度コントローラー・温度ヒューズ等を備え、図３の電線４ａ・４ｂを用いて接続されている。
【発明の効果】
【００１３】本発明は、一次側電源に交流１００Ｖ又は２００Ｖ・三相交流２００Ｖの電源を併用選択する事が可能であり、（例）夜間の深夜電力を２００Ｖ、昼間の時間帯を１００Ｖとして使用する事により、一定量の水（液体）を一般に普及している電力や安価な電力等でまかない、使用不足分のエネルギーを１００Ｖ電源にて供給する事ができ、非常時にはバッテリーからのエネルギーを使用する事も可能である。【００１４】化石燃料等を使用する事なく温水を供給する為、従来の燃焼式ボイラー等の稼働時に発生する一酸化炭素や二酸化炭素、窒素酸化物や硫黄酸化物の発生がなく、環境負荷を軽減する事が可能である。また、燃料タンクからの配管等一切不要であり、種々の優れた効果を得る事ができる。
【発明を実施するための最良の形態】
【００１５】以下、本発明を実施するための最良の形態を、図１乃至図３に基づいて説明する。【００１６】図１は、発熱体平面図であり、図２は、発熱体断面図で構成を示す図である。図３は、本発明に系る外部電源取入制御回路図である。【００１７】図１−１、発熱体基台に蒸着または接着された発熱体・２に、端子部３ａ・３ｂが同様蒸着され形成されている。端子部の素材として、銅・銀・リン青銅等が好ましく、発熱体に端子部全体の１／２が重なり構成されている事が好ましい。【００１８】図１−５に示す貯水・貯湯タンク内に取付け・吊下げる穴の大きさは、使用するボルト・ナット及び吊下げる資材により異なるものであり、特定する事はない。【００１９】図２は、発熱体断面構成図である。図１−１発熱体基台は、先に絶縁処理されている金属板に発熱体を蒸着若しくは接着し、電気回路編成等をおこない、端子部に銅や銀、または、リン青銅等の膨張係数の近い金属を、スポット溶接・ハンダ付け・ギンロウ付け等で一体成形する。【００２０】一体成形した発熱体・両端子部全体に、リン酸アンモニウム並び硫酸アンモニウムを混合した溶液を塗布またはドープし、発熱体表面は耐熱絶縁被膜で覆われている。【００２１】図３は、電気式液体加熱装置の制御回路図であり、一次側電源接続電線４ａ・４ｂを通し、温度コントローラー・９に接続されている温度センサー・１０により感知し、常時一定の水温（液温）に制御される。【００２２】また、何かの異常が生じ、水温（液温）が高温になった場合は、温度ヒューズ図３−１１ａ・１１ｂより、発熱体・１への電源が遮断される回路編成をもつ電気式液体加熱装置である。【００２３】本発明は、上記、上述したように、従来の形態とは異なり、発熱体から発生する全ての熱エネルギーを、対象とする水（液体）へ熱交換する事が出来き、回路編成も容易である。【００２４】化石燃料を燃焼する事なく、直流・交流、１００Ｖ・２００Ｖ、三相２００Ｖを併用する事により、目的に応じた少量から大量の水（液体）を供給する事が可能な電気式液体加熱装置である。
【図面の簡単な説明】
【００２５】
【図１】電気式液体加熱装置の平面図である。
【図２】電気式液体加熱装置の断面図である。
【図３】電気式液体加熱装置の電気回路図である。
【符号の説明】
【００２６】１      発熱体
２      発熱体基台
３      発熱部
４ａ    発熱部端子
４ｂ    発熱部端子
５ａ    一次側導線
５ｂ    一次側電線
６      吊下げ部穴
７      スポット溶接部
８      耐熱絶縁被膜
９      温度コントローラー
１０    温度センサー
１１ａ  温度ヒューズ接点
１１ｂ  温度ヒューズ接点
【図１】
2019074299.tif 000004
【図２】
2019074299.tif 000005
【図３】
2019074299.tif 000006